(57)【要約】【課題】赤外線受信部に赤外線信号を確実に伝搬させる。【解決手段】超音波信号送信部及び赤外線信号送信部を有する電子ペンの位置を検出すべく、前記赤外線信号送信部より送信された赤外線信号を受信したときから前記超音波信号送信部より送信された超音波信号を複数の箇所で受信したときまでの各時間を求めて、当該各時間に基づいて前記電子ペンの位置を検出する電子ペン位置検出回路であって、回路基板の一方の実装面上に、前記超音波信号を受信する複数の超音波信号受信部を実装するとともに、前記回路基板の前記一方の実装面とは反対側の他方の実装面上に、前記赤外線信号を受信する赤外線信号受信部を実装することとする。【選択図】    図１
2005174190.tif 000002
【特許請求の範囲】
【請求項１】
超音波信号送信部及び赤外線信号送信部を有する電子ペンの位置を検出すべく、前記赤外線信号送信部より送信された赤外線信号を受信したときから前記超音波信号送信部より送信された超音波信号を複数の箇所で受信したときまでの各時間を求めて、当該各時間に基づいて前記電子ペンの位置を検出する電子ペン位置検出回路であって、
回路基板の一方の実装面上に、前記超音波信号を受信する複数の超音波信号受信部を実装するとともに、
前記回路基板の前記一方の実装面とは反対側の他方の実装面上に、前記赤外線信号を受信する赤外線信号受信部を実装すること、
を特徴とする電子ペン位置検出回路。
【請求項２】
前記一方の実装面において、前記電子ペンの操作対象とする媒体側の二つの隅部にそれぞれ前記超音波信号受信部を実装するとともに、
前記他方の実装面において、前記媒体側の辺中央部に前記赤外線信号受信部を実装すること、
を特徴とする請求項１に記載の電子ペン位置検出回路。
【請求項３】
前記一方の実装面において、前記媒体側の二つの隅部から延在した突起部を設け、前記突起部に前記超音波信号受信部を実装したことを特徴とする請求項２に記載の電子ペン位置検出回路。
【請求項４】
超音波信号送信部及び赤外線信号送信部を有する電子ペンの位置を検出すべく、前記赤外線信号送信部より送信された赤外線信号を受信したときから前記超音波信号送信部より送信された超音波信号を複数の箇所で受信したときまでの各時間を求めて、当該各時間に基づいて前記電子ペンの位置を検出する電子ペン位置検出装置であって、
回路基板の一方の実装面上に、前記超音波信号送信部より送信された超音波信号を受信する複数の超音波信号受信部を実装するとともに、前記回路基板の前記一方の実装面とは反対側の他方の実装面上に、前記赤外線信号送信部より送信された赤外線信号を受信する赤外線信号受信部を実装する電子ペン位置検出回路と、
前記電子ペン位置検出回路を収納する容器であり、前記他方の実装面の周囲を取り囲んだ前記容器の面のうち前記電子ペンの操作対象とする媒体側の面に前記赤外線信号の透過フィルタを配設するとともに、前記一方の実装面の周囲を取り囲んだ前記容器の面のうち前記媒体側の面に前記超音波信号を取り込む開口部を配設する収納容器と、
を有することを特徴とする電子ペン位置検出装置。
【請求項５】
超音波信号送信部及び赤外線信号送信部を有する電子ペンと、
前記赤外線信号送信部より送信された赤外線信号を受信したときから前記超音波信号送信部より送信された超音波信号を複数の箇所で受信したときまでの各時間を求めて、当該各時間に基づいて前記電子ペンの位置を検出する電子ペン位置検出装置と、を有する電子ペン位置検出システムであって、
前記電子ペン位置検出装置は、
装置内部に収納した回路基板の一方の実装面上に、前記超音波信号送信部より送信された超音波信号を受信する複数の超音波信号受信部を実装するとともに、
前記回路基板の前記一方の実装面とは反対側の他方の実装面上に、前記赤外線信号送信部より送信された赤外線信号を受信する赤外線信号受信部を実装すること、
を特徴とする電子ペン位置検出システム。
【請求項６】
超音波信号送信部及び赤外線信号送信部を有する電子ペンの位置を検出すべく、前記赤外線信号送信部より送信された赤外線信号を受信したときから前記超音波信号送信部より送信された超音波信号を複数の箇所で受信したときまでの各時間を求めて、当該各時間に基づいて前記電子ペンの位置を検出する電子ペン位置検出回路の回路素子実装方法であって、
回路基板の一方の実装面上に、前記超音波信号送信部より送信された超音波信号を受信する複数の超音波信号受信部を実装するとともに、
前記回路基板の前記一方の実装面とは反対側の他方の実装面上に、前記赤外線信号送信部より送信された赤外線信号を受信する赤外線信号受信部を実装すること、
を特徴とする電子ペン位置検出回路の回路素子実装方法。
【発明の詳細な説明】
【技術分野】
【０００１】
本発明は、電子ペン位置検出回路、電子ペン位置検出装置、電子ペン位置検出システム、電子ペン位置検出回路の回路素子実装方法に関する。
【背景技術】
【０００２】
デジタイザーシステムの１つとして、紙媒体などに電子ペンによって書かれた文字や絵を、超音波信号及び赤外線信号を利用することで検出するとともに、パーソナルコンピュータなどに送信して表示させるシステム（以下、電子ペン位置検出システムと称する。）が開発されている。なお、こうした電子ペン位置検出システムは、電子ペンと電子ペン位置検出装置とによって主に構成される（例えば、以下に示す特許文献１参照）。
【０００３】
電子ペンは、超音波送信部と赤外線送信部とをペンの形状を呈する収納容器に収納した入力装置である。紙媒体上へ文字や絵を書く際に電子ペンの先端部が紙媒体と接触している間、電子ペンが作動する。そして、赤外線送信部より赤外線信号が、超音波送信部より超音波信号が、それぞれ電子ペン位置検出装置に送信される。ここで、赤外線信号は、光の速さで電子ペン位置検出装置に伝搬するのに対して、超音波信号は、光の速さよりも遅い音の速さで電子ペン位置検出装置に伝搬するため、両者の伝搬時間にズレが生じる。
【０００４】
電子ペン位置検出装置は、この伝搬時間のズレを利用して、電子ペンの現在位置を検出する。詳細に説明すると、電子ペン位置検出装置は、２個以上の超音波受信部と、赤外線受信部と、を実装した回路基板（電子ペン位置検出回路）を収納容器に収納してある。そして、赤外線送信部より送信された赤外線信号を受信したときから、超音波送信部より送信された超音波信号を各超音波受信部で受信したときまでの各時間を求める。この各時間によって、電子ペンから各超音波受信部までの距離が分かり、これらの距離情報を用いて三角法の原理で求まる交差点を電子ペンの現在位置として検出する。
【特許文献１】特開２００３−３６２２５号公報
【発明の開示】
【発明が解決しようとする課題】
【０００５】
電子ペン位置検出装置の内部に収納された電子ペン位置検出回路の正面図を図１４に示す。電子ペン位置検出回路は、単純に、回路基板２５０の実装面における左右の隅の方にそれぞれ超音波受信部２１０ａ及び２１０ｂを実装し、さらに、超音波受信部２１０ａ及び２１０ｂの中間付近に赤外線受信部２２０を実装することができる。本実装方法によれば、回路基板２５０の同一の実装面に、超音波受信部２１０ａ及び２１０ｂと、赤外線受信部２２０とが実装されることになる。
【０００６】
ここで、一般的に、超音波受信部２１０ａ及び２１０ｂは、赤外線受信部２２０と比べて、背の高い物理的な構造を呈している。このため、図１５に示すように、電子ペン１００と、超音波受信部２１０ａ（又は超音波受信部２１０ｂ）と、赤外線受信部２２０と、が、例えば一直線上に位置するようになったとき、赤外線受信部２２０が、超音波受信部２１０ａ（又は超音波受信部２１０ｂ）の死角となって、電子ペン１００の赤外線送信部より送信された赤外線信号が、最悪の場合、赤外線受信部２２０に伝搬しないという課題が生じてしまう。
【０００７】
本発明は、前述した課題に鑑みてなされたものであり、赤外線信号が確実に赤外線受信部に伝搬される電子ペン位置検出回路、電子ペン位置検出装置、電子ペン位置検出システム、電子ペン位置検出回路の回路素子実装方法を提供することを目的とする。
【課題を解決するための手段】
【０００８】
前述した課題を解決するための主たる本発明は、超音波信号送信部及び赤外線信号送信部を有する電子ペンの位置を検出すべく、前記赤外線信号送信部より送信された赤外線信号を受信したときから前記超音波信号送信部より送信された超音波信号を複数の箇所で受信したときまでの各時間を求めて、当該各時間に基づいて前記電子ペンの位置を検出する電子ペン位置検出回路であって、回路基板の一方の実装面上に、前記超音波信号を受信する複数の超音波信号受信部を実装するとともに、前記回路基板の前記一方の実装面とは反対側の他方の実装面上に、前記赤外線信号を受信する赤外線信号受信部を実装すること、とする。
【０００９】
本発明によれば、前記電子ペンと、前記超音波受信部と、前記赤外線受信部と、が例えば一直線上に位置する関係になった場合、前記赤外線受信部の実装面と前記超音波受信部の実装面は異なるため、前記赤外線受信部は前記超音波受信部の死角にならずに済む。よって、前記電子ペンの前記赤外線送信部より送信された赤外線信号が、赤外線受信部に確実に伝搬されることになる。
【発明の効果】
【００１０】
本発明によれば、赤外線信号が確実に赤外線受信部に伝搬される電子ペン位置検出回路、電子ペン位置検出装置、電子ペン位置検出システム、電子ペン位置検出回路の回路素子実装方法を提供することができる。
【発明を実施するための最良の形態】
【００１１】
＜電子ペン位置検出システムの全体構成＞
図１は、本発明に係る電子ペン位置検出システムの全体構成を示す図である。  
電子ペン位置検出システムは、媒体３００上に電子ペン１００によって書かれた文字や絵を、電子ペン１００において生成された赤外線信号及び超音波信号を利用することで検出するとともに、その検出した情報をパーソナルコンピュータなどが備える表示装置４００に表示させるシステムのことである。  
また、電子ペン位置検出システムは、本システムに特化した専用紙や専用ボードを必要とせず、ホワイトボードのような大きなサイズの板状体や、当該板状体よりもコンパクトなＪＩＳ規格の寸法（Ａ４サイズやＢ５サイズなど）を有した紙媒体など、市場に流通した如何なる媒体３００をも採用できる。
【００１２】
＜電子ペンと電子ペン位置検出装置の構成＞
図２は、電子ペン１００並びに電子ペン位置検出装置２００の構成を示すブロック図である。
【００１３】
＝＝＝  電子ペンの構成  ＝＝＝
電子ペン１００は、赤外線送信部１１０、超音波送信部１２０、スイッチ１３０、制御回路１４０、電源１５０を、ペンの形状を呈する収納容器に収納した入力装置である。
【００１４】
赤外線送信部１１０は、電子ペン１００の先端部が媒体３００と接触し、スイッチ１３０がＯＮ状態となったことを受けて起動する。そして、赤外線発光ダイオードに電圧が印可されることで光の速度を有する赤外線信号（３０ＴＨｚ〜３００ＴＨｚ程度）が生成され、電子ペン位置検出装置２００の赤外線受信部２２０に伝搬される。なお、赤外線信号の生成並びに送信は、スイッチ１３０がＯＦＦ状態となるまで所定の周期で継続して行われる。
【００１５】
超音波送信部１２０は、電子ペン１００の先端部が媒体３００と接触し、スイッチ１３０がＯＮ状態となったことを受けて起動する。そして、圧電素子型の超音波発振器に電圧が印可されることで光の速度よりも遅い音の速度を有する超音波信号（２０ＫＨｚ〜１００ＭＨｚ程度）が生成され、電子ペン位置検出装置２００の赤外線受信部２２０に伝搬される。なお、超音波信号の生成並びに送信は、スイッチ１３０がＯＦＦ状態となるまで、赤外線信号の場合と同じ所定の周期で継続して行われる。
【００１６】
スイッチ１３０は、電子ペン１００によって媒体３００上に文字や絵が書かれる際、電子ペン１００の先端部が媒体３００と接触した状態にあることを、その接触時の圧力変化を感知することで検出する。このとき、スイッチ１３０はＯＮ状態となり、赤外線送信部１１０及び超音波送信部１２０が作動する。
【００１７】
一方、媒体３００上に文字や絵が書き終えられて、電子ペン１００の先端部が媒体３００と非接触の状態となったとき、スイッチ１３０はＯＦＦ状態となり、赤外線送信部１１０及び超音波送信部１２０の動作が停止する。
【００１８】
制御回路１４０は、電子ペン１００全体の制御を司る回路であり、例えば、マイクロコンピュータを採用できる。また、電源は、電子ペン１００の各構成要素に電力を供給する装置であり、例えば、電池を採用できる。
【００１９】
＝＝＝  電子ペン位置検出装置の構成  ＝＝＝
電子ペン位置検出装置２００は、超音波受信部２１０と、赤外線受信部２２０と、制御回路２３０と、通信インターフェース回路２４０を、収納容器５００に収納した赤外線並びに超音波レシーバ装置である。
【００２０】
超音波受信部２１０は、ＰＶＤＦ（Polyvinyl Den Fluoride）などを用いた超音波センサであり、電子ペン１００の超音波送信部１２０より送信された超音波信号を受信する。なお、超音波受信部２１０は、三角測量方式にて電子ペン１００の位置検出をするために少なくとも２個以上設ける必要があるが、以下では、２個の超音波受信部２１０ａ及び２１０ｂを設けた場合について説明する。
【００２１】
赤外線受信部２２０は、ＩｒＤＡ（Infrared Data Association）規格モジュールなどの赤外線センサであり、電子ペンの赤外線送信部１１０より送信された赤外線信号を受信する。なお、赤外線受信部２２０は、一般的に、超音波送信部２１０と比べて、背の低い物理的な構造を呈する。
【００２２】
制御回路２３０は、電子ペン位置検出装置２００全体の制御を司る回路であり、例えば、マイクロコンピュータを採用できる。また、制御回路２３０は、超音波受信部２１０ａ及び２１０ｂにおいて受信した超音波信号と、赤外線受信部２２０において受信した赤外線信号と、に基づいて、媒体３００上での電子ペン１００の現在位置を検出する。この結果、電子ペン位置検出装置２００は、媒体３００上に電子ペン１００によって書かれた文字や絵の情報を識別できる。
【００２３】
通信インターフェース回路２４０は、媒体３００上に電子ペン１００によって書かれた文字や絵の情報を、パーソナルコンピュータや携帯電話などのモバイル電子機器に送信するための通信インターフェースである。このような通信インターフェースとしては、例えば、ＵＳＢ（Universal Serial Bus）規格やＩＥＥＥ１３９４規格などのシリアル通信方式や、赤外線通信やBluetooth（登録商標）などの無線通信方式を採用することができる。
【００２４】
＝＝＝  電子ペンの位置検出方法  ＝＝＝
図３は、電子ペン１００と電子ペン位置検出装置２００との間で授受される赤外線信号及び超音波信号の送受信タイミングを説明する図である。
【００２５】
まず、電子ペン１００側では、電子ペン１００の先端部と媒体３００が接触したときスイッチ１３０がＯＮ状態となり、赤外線送信部１１０においてＩＲ（Infrared Ray）パターン（赤外線信号）が生成され、赤外線受信部２２０に送信される（図３：時刻ｔ０参照）。なお、このＩＲパターンは、超音波受信部２１０ａ及び２１０ｂとの間において、超音波送信部１２０より送信されたＰＶＤＦパターン（超音波信号）を受信する際の同期を合わせる目的で用いられる。
【００２６】
同じく、スイッチ１３０がＯＮ状態となったとき、超音波送信部１２０においてＰＶＤＦパターンも同時に生成されることになる。しかしながら、ＰＶＤＦパターンを生成する際に超音波送信部１２０に印加する高電圧を所定の昇圧手段（不図示）によって生成するのに要した時間の分、ＩＲパターンよりも若干遅れて生成される（図３：時刻ｔ１参照）。なお、このＰＶＤＦパターンは、媒体３００上における電子ペン１００の位置検出に用いられる。
【００２７】
一方、電子ペン位置検出装置２００側では、超音波信号であるＰＶＤＦパターンと比較して、赤外線信号であるＩＲパターンの方が伝搬速度が速いため、ＰＶＤＦパターンが超音波受信部２１０ａ及び２１０ｂにおいて受信されるより先に、ＩＲパターンが赤外線受信部２２０において受信される（図３：時刻ｔ３参照）。
【００２８】
その後、超音波送信部１２０より送信されたＰＶＤＦパターンが、超音波受信部２１０ａ及び２１０ｂにおいてそれぞれ受信される（図３：時刻ｔ５、ｔ６参照）。ここで、電子ペン位置検出装置２００は、ＩＲパターンが赤外線受信部２２０において受信されたときから、ＰＶＤＦパターンが超音波受信部２１０ａ及び２１０ｂで受信されたときまでの時間（図３：ｔＬ、ｔＲ参照）をそれぞれ求める。この結果、ＰＶＤＦパターンの伝搬速度に基づいて、電子ペン１００と超音波受信部２１０ａ及び２１０ｂとの間の距離が求まる。
【００２９】
なお、電子ペン１００と超音波受信部２１０ａ及び２１０ｂとの間の距離が求まったとしても、超音波受信部２１０ａ及び２１０ｂの間を基準線とした電子ペン１００の方位が求まらなければ、電子ペン１００の位置が把握できない。そこで、電子ペン位置検出装置２００は、図４に示すように、電子ペン１００から各超音波受信部２１０ａ及び２１０ｂまでの距離（図４：Ｌ１、Ｌ２参照）を用いて、三角法の原理で求まる交差点を電子ペンの現在位置として検出する。
【００３０】
＜電子ペン位置検出回路の外観構造＞
図５は、電子ペン位置検出装置２００に収納された電子ペン位置検出回路の正面図であり、図６は、電子ペン位置検出回路の平面図である。
【００３１】
図５及び図６に示すように、電子ペン位置検出回路は、回路基板２５０の一方の実装面において、電子ペン１００の操作対象とする媒体３００の操作エリア３１０側の二つの隅部にそれぞれ超音波受信部２１０ａ及び２１０ｂを実装する。このように、前述した一方の実装面における左右の隅の方に超音波受信部２１０ａ及び２１０ｂを実装することで、前述した一方の実装面の左の隅と右の隅との中間辺りに超音波受信部２１０ａ及び２１０ｂを実装した場合と比べて、媒体３００の幅方向へ操作エリア３１０を拡大できる。
【００３２】
さらに、前述した一方の実装面とは反対側の他方の実装面において、操作エリア３１０側（図６参照）の辺中央部辺りに赤外線受信部２２０を実装する。なぜなら、赤外線受信部２２０は、超音波受信部２１０ａ及び２１０ｂにおける超音波信号の受信の同期を合わせる目的で使用するため、超音波受信部２１０ａと超音波受信部２１０ｂとの間の中央付近に実装することが好ましいからである。
【００３３】
なお、赤外線受信部２２０は、媒体３００上でより広範囲の操作エリア３１０に対応可能な角度指向性が得られるように、赤外線受信部２２０の実装面における操作エリア３１０側（図６参照）の辺部から、操作エリア３１０側（図６参照）とは反対側の方向へ位置をずらして実装することが好ましい。例えば、図６に示すように、電子ペン位置検出回路を真上から見た場合、赤外線受信部２２０が備える半球状の赤外線受光部のみがはみ出て見えるような実装位置とする。
【００３４】
また、赤外線受信部２２０の角度指向性を確保する理由で、赤外線受信部２２０と比べて超音波受信部２１０ａ及び２１０ｂを操作エリア３１０側（図６参照）の方向へ位置をずらして実装することが好ましい。すなわち、実質的に、赤外線受信部２２０が、赤外線受信部２２０の実装面における操作エリア３１０側（図６参照）の辺中央部から、操作エリア３１０側（図６参照）とは反対側の方向へ位置をずらして実装させるようにする。そこで、超音波受信部２１０ａ及び２１０ｂの実装面における操作エリア３１０側（図６参照）の二つの隅部から延在した突起部２６０ａ及び２６０ｂを設ける。そして、図７に示すように、突起部２６０ａ及び２６０ｂに、超音波受信部２１０ａ及び２１０ｂを実装することとする。
【００３５】
＜電子ペン位置検出装置の外観構造＞
図８は、電子ペン位置検出装置２００の正面図であり、図９は、電子ペン位置検出装置２００の平面図である。なお、電子ペン位置検出装置２００は、図５乃至７を用いて説明した電子ペン位置検出回路を収納容器５００に収納したユニットである。
【００３６】
ここで、収納容器５００は、赤外線受信部２２０の実装面の周囲を取り囲んだ面のうち、電子ペン１００の操作対象とする媒体３００の操作エリア３１０（図６参照）側の面に、赤外線信号を通過させるＩＲフィルタ５１０を配設してある。この結果、赤外線受信部２２０において赤外線の波長以外のノイズ信号が受信不可となり、赤外線受信部２２０のＳ／Ｎ比が向上する。
【００３７】
また、収納容器５００は、超音波受信部２１０ａ及び２１０ｂの実装面の周囲を取り囲んだ面のうち、操作エリア３１０側の面に、超音波信号を収納容器５００内部に取り込むスリット状の開口部５２０を配設してある。電子ペン位置検出回路が外部から見られないように完全に遮蔽した場合、超音波信号は音波であるため、超音波受信部２１０ａ及び２１０ｂに超音波信号が伝搬されないことになる。このため、開口部５２０は、必ず配設しておく必要がある。
【００３８】
＜赤外線信号が伝搬される様子＞
図１０は、電子ペン位置検出装置２００において赤外線信号を受信する際の様子を真上方向から見た図であり、図１１は、その際の様子を、正面右斜め方向から見た図である。
【００３９】
図１０及び図１１に示すように、電子ペン１００と、超音波受信部２１０ａ（若しくは超音波受信部２１０ｂ）と、赤外線受信部２２０と、が、例えば一直線上に位置する関係になった場合を考える。この場合、赤外線受信部２２０の実装面と超音波受信部２１０ａ（若しくは超音波受信部２１０ｂ）の実装面は異なるようにしたため、赤外線受信部２２０が、超音波受信部２１０ａ（若しくは超音波受信部２１０ｂ）の死角にならなくて済む。よって、電子ペン１００の赤外線送信部２２０より送信された赤外線信号が、ＩＲフィルタ５１０を介して、電子ペン位置検出装置２００内部の赤外線受信部２２０に確実に伝搬されることになる。
【００４０】
＜その他の実施形態＞
以上、本実施の形態について説明したが、前述した実施例は、本発明の理解を容易にするためのものであり、本発明を限定して解釈するためのものではない。本発明は、その趣旨を逸脱することなく、変更／改良され得るととともに、本発明にはその等価物も含まれうる。
【００４１】
例えば、図５乃至７に示した電子ペン位置検出回路では、回路基板２５０の紙面上部側には超音波受信部２１０ａ及び２１０ｂを、回路基板２５０の紙面下部側には赤外線受信部２２０を、それぞれ実装するようにしたが、図１２及び図１３に示すように、回路基板２５０の紙面上部側には赤外線受信部２２０を、回路基板の紙面下部側には超音波受信部２１０ａ及び２１０ｂを、それぞれ実装するようにしてもよい。この実装方法であっても、前述した実施形態と同様の効果が得られることになる。
【図面の簡単な説明】
【００４２】
【図１】本発明の一実施形態に係る電子ペン位置検出システムの全体構成を示す図である。
【図２】本発明の一実施形態に係る電子ペン位置検出システムの構成を示すブロック図である。
【図３】本発明の一実施形態に係る電子ペンと電子ペン位置検出装置との間で授受される赤外線信号と超音波信号の送受信タイミングを説明する図である。
【図４】本発明の実施形態に係る電子ペンの位置検出方法を説明する図である。
【図５】本発明の一実施形態に係る電子ペン位置検出回路の正面図である。
【図６】本発明の一実施形態に係る電子ペン位置検出回路の平面図である。
【図７】本発明のその他の実施形態に係る電子ペン位置検出回路の平面図である。
【図８】本発明の一実施形態に係る電子ペン位置検出装置の正面図である。
【図９】本発明の一実施形態に係る電子ペン位置検出装置の平面図である。
【図１０】本発明の一実施形態に係る電子ペン位置検出装置において赤外線信号を受信する際の様子を真上方向から見た図である。
【図１１】本発明の一実施形態に係る電子ペン位置検出装置において赤外線信号を受信する際の様子を正面右斜め方向から見た図である。
【図１２】本発明のその他の実施形態に係る電子ペン位置検出回路の正面図である。
【図１３】本発明のその他の実施形態に係る電子ペン位置検出回路の平面図である。
【図１４】従来の電子ペン位置検出回路の正面図である。
【図１５】従来の電子ペン位置検出回路において赤外線信号を受信する際の様子を真上方向から見た図である。
【符号の説明】
【００４３】
１００  電子ペン
１１０  赤外線送信部
１２０  超音波送信部
１３０  スイッチ
１４０  制御回路
１５０  電源
２００  電子ペン位置検出装置
２１０  超音波受信部
２２０  赤外線受信部
２３０  制御回路
２４０  通信インターフェース回路
２５０  回路基板
２６０  突起部
３００  媒体
４００  表示装置
５００  収納容器
５１０  ＩＲフィルタ
５２０  開口部
【図１】
2005174190.tif 000003
【図２】
2005174190.tif 000004
【図３】
2005174190.tif 000005
【図４】
2005174190.tif 000006
【図５】
2005174190.tif 000007
【図６】
2005174190.tif 000008
【図７】
2005174190.tif 000009
【図８】
2005174190.tif 000010
【図９】
2005174190.tif 000011
【図１０】
2005174190.tif 000012
【図１１】
2005174190.tif 000013
【図１２】
2005174190.tif 000014
【図１３】
2005174190.tif 000015
【図１４】
2005174190.tif 000016
【図１５】
2005174190.tif 000017